(57)【要約】【課題】  ピン孔に円滑に挿入でき、しかもオス、メス継手間の密封を確実に行うことのできるオス・メス継手の接続ピンを提供する。【解決手段】  オス継手をメス継手内に挿入して該オス継手先端が弾性パッキングに当接したとき、上記オス、メス継手の両ピン孔が互に若干偏心して一部ラップした不一致の状態におかれるのに対し、  接続ピンの横断面形状が、上記両ピン孔のラップする部分に挿入可能のほぼ長円形であって、その長径が上記ピン孔の径よりやや小径であり、  上記接続ピンの一端部に、該接続ピンを回すための回しヘッドを設けると共に、上記接続ピンの回しにより上記両ピン孔が一致したとき該接続ピンをその位置に回り止めする手段を備えた、オス・メス継手の接続ピン。【選択図】        図３
2005090027.tif 000002
【特許請求の範囲】
【請求項１】
オス継手をメス継手内に挿入して該オス継手先端が弾性パッキングに当接したとき、上記オス、メス継手の両ピン孔が互に若干偏心して一部ラップした不一致の状態におかれるのに対し、
接続ピンの横断面形状が、上記両ピン孔のラップする部分に挿入可能のほぼ長円形であって、その長径が上記ピン孔の径よりやや小径であり、
上記接続ピンの一端部に、該接続ピンを回すための回しヘッドを設けると共に、上記接続ピンの回しにより上記両ピン孔が一致したとき該接続ピンをその位置に回り止めする手段を備えた、
オス・メス継手の接続ピン。
【発明の詳細な説明】
【技術分野】
【０００１】
本発明は、掘削、撹拌等の作業ロッドとスイベル装置との接続、作業ロッド同志の継ぎ足し接続等に使用されるオス・メス継手の接続ピンに関する。
【背景技術】
【０００２】
例えば、掘削ロッドにスイベル装置を接続するオス・メス継手として、従来は、一方のスイベル装置に連設されたメス継手のメス孔内底面にゴム等の弾性パッキングを入れ、他方の掘削ロッドに連設されたオス継手を上記メス継手のメス孔内に挿入してオス継手先端面を上記弾性パッキングに圧接させることにより、上記オス、メス間を連通状態に密封し、その状態でメス継手とオス継手に貫通された円形ピン孔に横断面円形の接続ピンを打ちこんで上記密封状態を保持した接続を行うものが一般に使用されている。
【０００３】
しかし、上例のオス・メス継手の実際の接続作業においては、オス継手をメス継手のメス孔に挿入して該オス継手先端面を弾性パッキングに当接したが、未だ両者のピン孔が一致していない状態において、接続ピンをハンマーにより打撃して上記不一致ピン孔内に強引に打ちこみ、それにより両ピン孔を一致させると共に、オス継手先端面を上記弾性パッキングに圧接させてオス、メス継手間の密封を行う方法を採っていた。
【０００４】
しかし、上記のような方法では、ピン孔部分に変形、損傷、ハツリ屑等を発生させ、それが原因となってオス、メス継手の分離、再接続が困難に至る場合がしばしばあった。
【発明の開示】
【発明が解決しようとする課題】
【０００５】
本発明は、不一致のピン孔にも円滑に挿入でき、しかも弾性パッキングへ圧接を行って確実に密封を果すことのできるオス・メス継手の接続ピンを提供することを課題とする。
【課題を解決するための手段】
【０００６】
そこで、本発明は、
オス継手をメス継手内に挿入して該オス継手先端が弾性パッキングに当接したとき、上記オス、メス継手の両ピン孔が互に若干偏心して一部ラップした不一致の状態におかれるのに対し、
接続ピンの横断面形状が、上記両ピン孔のラップする部分に挿入可能のほぼ長円形であって、その長径が上記ピン孔の径よりやや小径であり、
上記接続ピンの一端部に、該接続ピンを回すための回しヘッドを設けると共に、上記接続ピンの回しにより上記両ピン孔が一致したとき該接続ピンをその位置に回り止めする手段を備えた、
オス・メス継手の接続ピンを提案する。
【発明の効果】
【０００７】
本発明のオス・メス継手の接続ピンによれば、オス、メス継手の不一致の状態にある両ピン孔のラップする部分から接続ピンを円滑に挿入することができ、それにより従来のようなピン孔に変形、損傷等を与える欠点を解消することができ、挿入後は、回しヘッドをもって接続ピンを回すことにより該接続ピンの横断面形状における長径部分で不一致の両ピン孔を一致させ、しかる後回り止め手段により接続ピンをその位置に保持し、オス、メス継手間の密封を維持することができるのである。
【発明を実施するための最良の形態】
【０００８】
本発明における上記接続ピンの横断面形状が「ほぼ長円形」とは、円形を横長に引きのばした同一短径のいわゆる長円形のほか、楕円形をも含む用語として使用する。
【０００９】
また、上記接続ピンの「回しヘッド」には、スパナ等の工具により回すことができる四角形、六角形等のヘッドが含まれる。
【００１０】
さらに、上記接続ピンの「回り止め手段」としては、上記回しヘッドをメス継手にネジ止め又はピン止めするもの、接続ピンの先端部にオネジを設け、該オネジ部に回り止めナットを螺合するもの、その他種々の手段がある。
【実施例】
【００１１】
図１において、軸心に薬液供給路（２）を有する掘削ロッド（１）の上端に、上記薬液供給路（２）と連通する通孔（４）を縦通したオス継手（３）を接続し、一方スイベル装置（５）の下端から突出した薬液供給孔（６’）を有する接続筒（６）の下端に、上記薬液供給孔（６’）と連通する通孔（８）及びメス孔（９）を有するメス継手（７）を接続し、該メス孔（９）の内底面に、上記オス継手（３）先端面が当接すべきゴム等の弾性パッキング（１０）を内装し、このようなオス継手（３）とメス継手（７）に、両者嵌合時のオス継手（３）外周面とメス継手（７）内周面にかけて横断方向に貫通する丸孔、すなわちオス継手（３）がわの半円形ピン孔（１１ａ）と、メス継手（７）がわの円形ピン孔（１１ｂ）とからそれぞれなる一対の円形ピン孔（１１）、（１１）を同一横断面上に平行に設けてある。
【００１２】
ここで、上記ピン孔（１１ａ）、（１１ｂ）は、メス孔（９）内に挿入されたオス継手（３）の先端が弾性パッキング（１０）に軽く当接したときは、図３（イ）、（ロ）のように互に若干偏心して一部ラップした不一致の状態にあり、上記オス継手（３）先端が弾性パッキング（１０）に圧接したときは、図３（ハ）、（ニ）のように互に一致する関係にある。
【００１３】
上記ピン孔（１１）、（１１）に差しこむべき接続ピン（１２）、（１２）の構造は次のようである。一対の接続ピン（１２）、（１２）の横断面形状は、図２（ロ）に示すように上記不一致のピン孔（１１ａ）、（１１ｂ）のラップする部分に挿入可能の長円形であって、その長径が上記ピン孔（１１）の直径よりやや短くしてあり、この一対の接続ピン（１２）、（１２）の各一端に、スパナより回し操作可能の長方形板状の回しヘッド（１３）、（１３’）を溶接により固定してある。
【００１４】
上記接続ピン（１２）、（１２）の回り止め兼抜け止め手段として、上記一方の回しヘッド（１３）の中間部から自由端までを階段状に屈曲して重合上部（１４）に、他方の回しヘッド（１３’）の自由端を平坦のままの重合下部（１４’）にそれぞれ形成すると共に、これら重合上、下部（１４）、（１４’）にそれぞれ回り止め兼抜け止めボルトの通し孔（１５）、（１５）を設けてある。
【００１５】
この場合、上記回しヘッド（１３）、（１３’）の長辺と、上記接続ピン（１２）、（１２）の横断面における長径とが直角の関係にあり、又一対の重合上、下部（１４）、（１４’）は、一対の接続ピン（１２）、（１２）を一対のピン孔（１１）、（１１）に差しこんだ状態で、該重合上、下部（１４）、（１４’）を互に対向方向に旋回すると、互に重り合い、且つ通し孔（１５）、（１５）を一致させる長さ関係にある。
【００１６】
上記通し孔（１５）、（１５）の一致した位置に対応して、上記メス継手（７）に図４（イ）に示すように回り止め兼抜け止めボルト（１６）の螺合用メネジ孔（１７）を設けてある。
【００１７】
上例の接続ピン（１２）、（１２）の作用を次に説明する。掘削ロッド（１）がわのオス継手（３）を、スイベル装置（５）がわのメス継手（７）のメス孔（９）内に挿入し、オス継手（３）先端を弾性パッキング（１０）に当接すると、図３（イ）に示すようにピン孔（１１ａ）、（１１ｂ）が互に若干偏心して一部ラップした不一致の状態となる。
【００１８】
次に、一対の接続ピン（１２）、（１２）をその横断面長径をオス、メス継手の横断方向に向けて、同図（ロ）のように上記不一致のピン孔（１１ａ）、（１１ｂ）のラップ部分に差しこむ。その際、一対の接続ピン（１２）、（１２）の回しヘッド（１３）、（１３’）が図４（イ）に示すようにオス、メス継手の母線方向にそれぞれ向く。
【００１９】
次に、上記回しヘッド（１３）、（１３’）をそれぞれスパナにより互に相対向方向に同時に９０度回し、それに伴って接続ピン（１２）、（１２）が９０度回転し、該回転により接続ピン（１２）、（１２）の横断面長径部により半円形ピン孔（１１ａ）、（１１ａ）をパッキング（１０）がわへ押し、それによりオス継手（３）がメス孔（９）内へさらに押しこまれて図３（ハ）に示すように弾性パッキング（１０）に強く圧接する。これによりオス継手（３）の通孔（４）とメス継手（７）の通孔（８）とを密封状態に連通する。その状態で、図４（ロ）のように回り止め兼抜け止めボルト（１６）を両回しヘッド（１３）、（１３’）の重合上、下部（１４）、（１４’）のボルト通し孔（１５）、（１５）からメネジ孔（１７）に螺合する。それにより一対の接続ピン（１２）、（１２）が回り止め及び抜け止め状態に保持される。
【００２０】
接続を解く場合は、図４（ロ）の状態にある回り止め兼抜け止めボルト（１６）を外し、ついで回しヘッド（１３）、（１３’）をスパナにより同図（イ）のように母線方向に向く位置まで９０度回し、それにより一対の接続ピン（１２）、（１２）を図３（ハ）から（ロ）の状態に戻し、ついで接続ピン（１２）、（１２）をピン孔から引き抜く。接続ピン引き抜き後、オス継手（３）メス継手（７）から抜き出す。
【図面の簡単な説明】
【００２１】
【図１】本発明の接続ピンを使用したオス・メス継手により接続した掘削ロッドとスイベル装置の一部縦断正面図である。
【図２】（イ）一対の接続ピンの一部切欠正面図である。（ロ）同上平面図である。
【図３】（イ）オス継手をメス継手に挿入した状態の拡大縦断面図である。（ロ）不一致ピン孔に接続ピンを挿入したピン孔部分の拡大断面図である。（ハ）接続ピンを回転させた状態のオス、メス継手の拡大縦断面図である。（ニ）接続ピンを回転させた状態のピン孔部分の拡大断面図である。
【図４】（イ）一対の接続ピンを挿入した状態の回しヘッド部分の拡大正面図である。（ロ）回り止め兼抜け止めボルトを螺合した状態の同上正面図である。
【符号の説明】
【００２２】
３  オス継手
７  メス継手
１０  弾性パッキング
１２  接続ピン
１３、１３’  回しヘッド
１６  回り止め兼抜け止めボルト
【図１】
2005090027.tif 000003
【図２】
2005090027.tif 000004
【図３】
2005090027.tif 000005
【図４】
2005090027.tif 000006